(57)【要約】【課題】フィルタ板の外観を向上させたサイドファンユニットを備えた室内機を提供する。【解決手段】サイドファンユニット３００Ｒは、サイドファン本体３１０とそのサイドファン本体３１０に組み込まれるフィルタ板３２０とを有する。サイドファン本体３１０は、室内機本体２００の右側面２２０に対面する本体側側面部３１３ｂの外面３１３ｂ３に装飾部３１３ｂ１、３１３ｂ２が形成されている筐体３１３を有する。【選択図】図７
2020060350.tif 000002
【特許請求の範囲】
【請求項１】
吹出口が下向きとなる第１回転位置と前記吹出口が前方斜め下向きとなる第２回転位置の間で回転するサイドファンユニットが室内機本体の左右側面の少なくとも一方の側面に取り付けられた空気調和機の室内機であって、
前記サイドファンユニットは、前記室内機本体の前記側面に対面する本体側側面部の外面に装飾部が形成されている筐体を有することを特徴とする空気調和機の室内機。
【請求項２】
請求項１に記載の空気調和機の室内機において、
前記筐体の前記装飾部は、前記サイドファンユニットが前記第１回転位置以外の回転位置にあるとき前記室内機本体の前記側面から外部に露出することを特徴とする空気調和機の室内機。
【請求項３】
請求項１又は２に記載の空気調和機の室内機において、
前記筐体の前記装飾部は、前記本体側側面部の外面の内の、前記サイドファンが前記第２回転位置に回転した際に前記室内機本体の前記側面と対面しなくなるに部分に形成されていることを特徴とする空気調和機の室内機。
【請求項４】
請求項１、２又は３に記載の空気調和機の室内機において、
前記筐体の前記装飾部は、前記サイドファンユニットの前記室内機本体の前記側面に対する回転軸を中心とする同心円の凹溝が複数並ぶ波紋形状であることを特徴とする空気調和機の室内機。
【発明の詳細な説明】
【技術分野】
【０００１】
本発明は室内機本体の側面にサイドファンユニットが取り付けられた空気調和機の室内機に関する。
【背景技術】
【０００２】
空気調和機の室内機には、その室内機本体の左右の両側面にそれぞれサイドファンユニットを取り付けたものが提案されている（特許文献１）。これら左右のサイドファンユニットは、室内機本体から吹き出される熱交換された気流とは別に、熱交換されていない気流を生成するためのものである。このサイドファンユニットで生成される気流は、サイドファンユニットに内蔵されたシロッコファンによって、サイドファンユニットの吸込口から吸い込まれた室内空気がそのまま吹出口から吹き出される気流である。このとき、吹出口が下向きや前向きになるようにサイドファンユニットの吹出口の位置を上下方向に変化させれば、その気流の方向を上下方向に変化させることができる。また、吹出口に左右風向板を取り付ければ、その気流の方向を左右方向に変化させることできる。
【０００３】
よって、この室内機では、サイドファンユニットの吹出口から吹き出される気流によって、室内機本体の吹出口から吹き出される熱交換された気流を制御することができる。例えば、冷房運転時には、室内機本体の吹出口から吹き出される冷たい気流と左右のサイドファンユニットの吹出口から吹き出される気流を混合して、冷たい風が直接人体に当たらないようにすることができる。また、暖房運転時には、室内機本体の吹出口から吹き出される暖かい気流を左右のサイドファンユニットの吹出口から吹き出される気流で上から押し広げることによって、部屋の隅々まで温めることができる。
【先行技術文献】
【特許文献】
【０００４】
【特許文献１】特開２０１４−０７０７９４号公報
【発明の概要】
【発明が解決しようとする課題】
【０００５】
ところが、サイドファンユニットはその動作停止時に室内機本体の側面から突出しないような形状に形成して全体の外観の向上が図られているが、動作時はサイドファンユニットが室内機本体に対して回転するので、その一部が室内機本体から突出するようになる。この動作時において、サイドファンユニットの外側はもともと外観が考慮されている。しかし、室内機本体の側面に対面する側は動作停止時に隠れており何らの装飾も施されていないので、動作時にこの部分が露出することで外観が悪くなる。
【０００６】
本発明の目的は、サイドファンが回転してその一部が室内機本体から突出するような場合でも外観を向上させたサイドファンを備えた室内機を提供することである。
【課題を解決するための手段】
【０００７】
上記目的を達成するために、請求項１にかかる発明の空気調和機の室内機は、吹出口が下向きとなる第１回転位置と前記吹出口が前方斜め下向きとなる第２回転位置の間で回転するサイドファンユニットが室内機本体の左右側面の少なくとも一方の側面に取り付けられた空気調和機の室内機であって、前記サイドファンユニットは、前記室内機本体の前記側面に対面する本体側側面部の外面に装飾部が形成されている筐体を有することを特徴とする。
請求項２にかかる発明は、請求項１に記載の空気調和機の室内機において、前記筐体の前記装飾部は、前記サイドファンユニットが前記第１回転位置以外の回転位置にあるとき前記室内機本体の前記側面から外部に露出することを特徴とする。
請求項３に係る発明は、請求項１又は２に記載の空気調和機の室内機において、前記筐体の前記装飾部は、前記本体側側面部の外面の内の、前記サイドファンが前記第２回転位置に回転した際に前記室内機本体の前記側面と対面しなくなるに部分に形成されていることを特徴とする。
請求項４にかかる発明は、請求項１、２又は３に記載の空気調和機の室内機において、前記筐体の前記装飾部は、前記サイドファンユニットの前記室内機本体の前記側面に対する回転軸を中心とする同心円の凹溝が複数並ぶ波紋形状であることを特徴とする。
【発明の効果】
【０００８】
本発明によれば、サイドファンが回転して筐体の本体側側面部の外面が室内機本体から露出するような場合でも、その外面には装飾部が形成されているので外観が向上する。
【図面の簡単な説明】
【０００９】
【図１】本発明の実施例の室内機の平面図である。
【図２】本発明の実施例の室内機の斜め右手前の上から見た斜視図である。
【図３】本発明の実施例の室内機の斜め右手前の下から見た斜視図である。
【図４】本発明の実施例の室内機の斜め右手前の下から見た斜視図である。
【図５】本発明の実施例の室内機の斜め左手前前面から見た斜視図である。
【図６】本発明の実施例の室内機の右サイドファンの分解斜視図である。
【図７】本発明の実施例の室内機の右サイドファンの断面図である。
【図８】右サイドファンの筐体の本体側側面部の裏面の前面図である。
【図９】図６のＡ部分の拡大図である。
【図１０】図６のＢ部分の拡大図である。
【図１１】右サイドファンのフィルタ板のフィルタ部の部分拡大図である。
【図１２】フィルタ板の樹脂成形時の図１１のＣ１-Ｃ２線の断面図である。
【図１３】右サイドファンの第１回転位置での右側面図である。
【図１４】右サイドファンの第２回転位置での右側面図である。
【発明を実施するための形態】
【００１０】
図１〜図５に本実施例の室内機１００を示す。室内機１００は室内機本体２００と、その室内機本体２００の左側面２１０に取り付けられる左サイドファンユニット３００Ｌと、その室内機本体２００の右側面２２０に取り付けられる右サイドファンユニット３００Ｒとを備える。右サイドファンユニット３００Ｒは左サイドファンユニット３００Ｌと左右対称形状である。
【００１１】
これら左サイドファンユニット３００Ｌと右サイドファンユニット３００Ｒは、前面となる前面カバー３２２が後記する第２回転軸Ｐ２を中心とするほぼ同じ曲率で前方に突出する湾曲形状に形成され、背面となる背面部３１５ｃが後記する第２回転軸Ｐ２を中心とするほぼ同じ曲率で後方に突出する湾曲形状に形成されている。また、上面となる上面部３１５ｂと下面となる下面部３１５ｄが互いに平行な平面形状に形成されている。なお、左サイドファンユニット３００Ｌと右サイドファンユニット３００Ｒはその一方のみが室内機本体２００に取り付けられてもよい。
【００１２】
室内機本体２００は、左側面２１０に室内機本体２００の前面２３０の側が開放された左切欠形状部２１１が形成されている。その左切欠形状部２１１の側面２１１ａに左サイドファンユニット３００Ｌが取り付けられている。また、右側面２２０に室内機本体２００の前面２３０の側が開放された右切欠形状部２２１が形成されている。その右切欠形状部２２１の側面２２１ａに右サイドファンユニット３００Ｒが取り付けられている。
【００１３】
また、室内機本体２００の左切欠形状部２１１の奥側の壁面２１１ｂは、左サイドファンユニット３００Ｌの背面となる後記する背面部３１５ｃの湾曲形状に沿った凹形状に湾曲している。右切欠形状部２２１の奥側の壁面２２１ｂも、右サイドファンユニット３００Ｒの背面となる後記する背面部３１５ｃの湾曲形状に沿った凹形状に湾曲している。
【００１４】
また、室内機本体２００の前面２３０に上方向に回転可能な前面パネル２３１が取り付けられている。上面２４０には複数の四角形状の室内機本体吸込口２４１が形成されている。さらに、室内機本体２００の下面２５０に横長形状の室内機本体吹出口２５１が形成されている。その室内機本体吹出口２５１には上下風向板２５２が取り付けられている。２６０は前面２３０と反対側の背面である。なお、室内機本体２００の内部構造は本発明の説明に直接関係しないため説明を省略する。
【００１５】
そして、左サイドファンユニット３００Ｌと右サイドファンユニット３００Ｒは、その下面部３１５ｄに設けられた吹出口３１６が、室内機本体２００の吹出口２５１が向く方向と同じ方向である下向きの図１〜図３に示す第１回転位置と、その吹出口３１６が、第１回転位置から３０度程度前方に回転した、室内機本体２００の前面２３０が向く方向と同じ方向である前方の斜め下向きとなる図４、図５に示す第２回転位置との間で回転するように、室内機本体２００に取り付けられている。第１回転位置は左サイドファンユニット３００Ｌと右サイドファンユニット３００Ｒが動作を停止しているときの標準的な位置となる停止位置でもある。
【００１６】
第１回転位置では、左サイドファンユニット３００Ｌと右サイドファンユニット３００Ｒのフィルタ板３２０の前面カバー３２２が、室内機本体２００の前面パネル２３１と同じ前面を向き、且つ、図１に示すように、室内機本体２００の前面２３０から背面２６０の方向に距離Ｌ１だけ離れ背面２６０の側に凹んでいる。また、第１回転位置では、左サイドファンユニット３００Ｌと右サイドファンユニット３００Ｒの上面となる上面部３１５ｂは、室内機本体２００の上面２４０と同一平面となり、下面となる下面部３１５ｄは、室内機本体２００の下面２５０と同一平面となっている。
【００１７】
このように、本実施例の室内機１００は、左サイドファンユニット３００Ｌと右サイドファンユニット３００Ｒの前面カバー３２２が、室内機本体２００の前面２３０から背面２６０の方向に距離Ｌ１だけ離れ背面２６０の側に凹んで取り付けられているので、その室内機１００を前面から見た場合に、室内機１００の全体の左右方向の幅が小さく見え、外観が向上する。また、前面パネル２３１はその右側の横端３２１ａが横方向に突出するので、その横端３２１ａの一部を、その前面パネル２３１を前方に引き起こすための手掛部２３１ｂとすることができる。この手掛部２３１ｂは前面から見えないので、この面でも外観が向上する。前面パネル２３１の左側の横端についても同様である。
【００１８】
左サイドファンユニット３００Ｌと右サイドファンユニット３００Ｒは、それぞれ、サイドファン本体３１０の側面にフィルタ板３２０を組み込んだものである。そして、フィルタ板３２０に形成された後記する多数の第１吸込孔３２１ｅから室内の空気を吸込み、サイドファン本体３１０の後記する筐体３１３の下面３１５ｄの吹出口３１６からその吸い込んだ空気を室内に吹き出す。吹出口３１６の一部には左右風向板３１７が取り付けられ、この左右風向板３１７によって吹出方向を左右方向に偏向することが可能となっている
【００１９】
次に、サイドファンユニット３００Ｒを代表して図６にその分解斜視図を示し、図７に断面図を示す。サイドファン本体３１０は、モータ３１１及びそのモータ３１１によって回転するシロッコファン３１２が組み込まれた筐体３１３と、フィルタ板３２０を取り外した際に指等がシロッコファン３１２に当たることを防止するための保護板３１４と、サイドファン本体３１０を組み込むためのホルダ３１５を有する。
【００２０】
筐体３１３は、その前面部３１３ａが、上部３１３ａ１から下部３１３ａ２にかけて中央部３１３ａ３が前方（図６の左方向）に突出するように湾曲形状に形成されている。また、室内機本体２００に対面する本体側側面部３１３ｂにモータ３１１が取り付けられている。外観面となる側面部３１３ｃに吸込口３１３ｃ１が形成されている。そして、シロッコファン３１２の周囲から下面部３１３ｄの吹出口３１６に至る部分に導風路３１３ｅが形成されている。吹出口３１６には左右風向板３１７が組み込まれている。３１３ｆは上面部、３１３ｇは背面部である。
【００２１】
保護板３１４は、筐体３１３の側面部３１３ｃの吸込口３１３ｃ１に指が差し込まれないように、その吸込口３１３ｃ１を覆っている。この保護板３１４には多数の第２吸込孔３１４ａが形成され、その保護板３１４の周囲は複数のネジＢ１によって筐体３１３の側面部３１３ｃに取り付けられている。
【００２２】
ホルダ３１５は、筐体３１３の側面部３１３ｃの外側の一部を覆う側面部３１５ａ、筐体３１３の上面部３１３ｆを覆う上面部３１５ｂ、筐体３１３の背面部３１３ｇを覆う背面部３１５ｃ、筐体３１３の下面部３１３ｄの吹出口３１３ｄ１を除く部分を覆う下面部３１５ｄを有する。側面部３１５ａは保護板３１４の第２吸込孔３１４ａが露出するように、図６の右側面視でコ字形状に形成されている。そして、側面部３１５ａと筐体３１３の側面部３１３ｃと間には、フィルタ板３２０の挿入をガイドし保持するためのガイドスロット３１５ｅが形成されている。また、背面部３１５ｃの背面形状、つまりサイドファンユニット３００Ｒの背面形状は、室内機本体２００の右切欠形状部２２１の壁面２２１ｂの凹形の湾曲形状に対応する凸形の湾曲形状に形成されている。
【００２３】
フィルタ板３２０は、サイドファン本体３１０のガイドスロット３１５ｅに挿入されるフィルタ部３２１と、そのフィルタ部３２１の前縁３２１ａに一体成型された化粧パネルとしての前面カバー３２２とで形成されている。前面カバー３２２はフィルタ部３２１の前縁３２１ａから、図６において、サイドファン本体３１０の筐体３１３の前面部３１３ａを覆うように、曲折して連続している。
【００２４】
フィルタ部３２１には、上縁３２１ｂ、後縁３２１ｃ、下縁３２１ｄで囲まれた部分に、後記する網目状のフィルタシート３２３で覆われた多数の第１吸込孔３２１ｅが規則的に配列された配列部３２１ｆの全体が、円形になるように形成されている。前面カバー３２２には、サイドファン本体３１０の筐体３１３の前面部３１３ａに嵌り込むように、上部３２２ａから下部３２２ｂにかけて中央部３２２ｃが前方（図６の左方向）に突出する凸型の湾曲形状に形成されている。また、この前面カバー３２２の右側面３２２ｄには、凹形状の手掛部３２２ｅが形成されている。
【００２５】
図８に示すように、サイドファンユニット３００Ｒのサイドファン本体３１０の筐体３１３の本体側側面部３１３ｂの外面３１３ｂ３（つまり室内機本体２００の右切欠形状部２２１の側面２２１ａに対面する側）には、筐体３１３の前面部３１３ａの側から上面３１３ｆの側にかけて第１装飾部３１３ｂ１が形成されている。筐体３１３の背面３１３ｇの側から下面３１３ｄの側にかけては第２装飾部３１３ｂ２が形成されている。つまり、これら第１装飾部３１３ｂ１と第２装飾部３１３ｂ２は、右サイドファンユニット３００Ｒが前記した第１回転位置から第２回転位置に回転した際に室内機本体２００の右側面２２０の右切欠形状部２２１と対面しなくなり露出する部分に形成されている。また、これら第１装飾部３１３ｂ１と第２装飾部３１３ｂ２は、筐体３１３の後記する回転中心、つまり右サイドファンユニット３００Ｒの後記する回転軸Ｐ２を中心とする同心円の凹溝が放射方向に複数並ぶように形成された波紋形状である。
【００２６】
よって、サイドファンユニット３００Ｒが第１回転位置から第２回転位置に向けて回転すると、その回転開始から回転終了までの期間は、サイドファンユニット３００Ｒのサイドファン本体３１０の筐体３１３の本体側側面部３１３ｂの裏面３１３ｂ３の第１装飾部３１３ｂ１が室内機本体２００の上面２４０から露出し、第２装飾部３１３ｂ２が室内機本体２００の下面部２５０から露出するので、そこに装飾が全く無い場合と比較して、外観が向上する。特に、第１装飾部３１３ｂ１と第２装飾部３１３ｂ２は、右サイドファンユニット３００Ｒの回転方向に沿った波紋形状に形成されているので、右サイドファンユニット３００Ｒの回転動作に合致したイメージを想起しやすくなり、この面でも外観が向上する。
【００２７】
また、サイドファンユニット３００Ｒの筐体３１３の本体側側面部３１３ｂの裏面３１３ｂ３において、第１装飾部３１３ｂ１と第２装飾部３１３ｂ２以外には波紋形状が形成されていない。筐体３１３の本体側側面部３１３ｂの全面に波紋形状を形成することもできるが、このようにすると、この筐体３１３を樹脂成形で形成する際の型抜きが困難となり、成形不良が発生しやすい。しかし、本実施例のように第１装飾部３１３ｂ１と第２装飾部３１３ｂ２のみを設けた場合は型抜きが容易となり、成形不良は発生しない。
【００２８】
図６の点線で囲ったＡ部分の拡大図を図９に示す。３１３ｃ２は筐体３１３の側面部３１３ｃに形成した上横ガイドスロープである。この上横ガイドスロープ３１３ｃ２は、ホルダ３１５の上面部３１５ｂに近い側面部３１５ａの上先端部３１５ａ１の側から、図９において筐体３１３の前面部３１３ａに向けて、裏側面板３１３ｂの方向に近づくように傾斜した面となっている。これにより、ホルダ３１５のガイドスロット３１５ｅの上導入部３１５ｅ１へのフィルタ板３２０のフィルタ部３２１の挿入路の横幅が広くなり、フィルタ板３２０のフィルタ部３２１ｂの上端部３２１ｃ１の左右方向からの挿入が容易となっている。つまり、上横ガイドスロープ３１３ｃ２は、フィルタ部３２１の後縁３２１ｃの上端部３２１ｃ１の左右方向からの挿入をガイドする。
【００２９】
図６の点線で囲ったＢ部分の拡大図を図１０に示す。３１３ｃ３は筐体３１３の側面部３１３ｃに形成した下縦ガイドスロープである。この下縦ガイドスロープ３１３ｃ３は、ホルダ３１５の下面部３１５ｄに近い側面部３１５ａの下先端部３１５ａ２の側から、筐体３１３の前面部３１３ａに向けて、図１０において下方向に向けて傾斜して伸びている。これにより、ホルダ３１５のガイドスロット３１５ｅの下導入部３１５ｅ２へのフィルタ板３２０のフィルタ部３２１の挿入路の縦幅が広くなり、フィルタ板３２０のフィルタ部３２１ｂの下端部３２１ｃ２の上下方向からの挿入が容易となっている。つまり、下縦ガイドスローパス１３ｃ３は、フィルタ部３２１の後縁３２１ｃの下端部３２１ｃ２の上下方向からの挿入をガイドする。
【００３０】
ここで、図１１、図１２を参照してフィルタ部３２１について詳しく説明する。図１１は多数の第１吸込孔３２１ｅが規則的に配列された配列部３２１ｆの輪郭を形成するよう配列部３２１ｆの周囲に設けられる周縁部３２１ｆ１の形状を示す図である。配列部３２１ｆの周縁部３２１ｆ１の第１吸込孔３２１ｅの開口面積が、配列部３２１ｆの周縁部３２１ｆ１以外の第１吸込孔３２１ｅの開口面積よりも小さくなっていて、周縁部３２１ｆ１、つまり配列部３２１ｆの輪郭が目立たなくなり、外観が向上している。
【００３１】
より詳しくは、配列３２１ｆの周縁部３２１ｆ１以外の第１吸込孔３２１ｅ１は開口直径が６ｍｍと最大となっているが、周縁部３２１ｆ１の内側３２１ｆ１１ではその開口直径が６ｍｍよりも小さくなり、外側３２１ｆ１２に至るほどその開口直径が順次小さくなっている。つまり、図１１に示す第１吸込孔３２１ｅ１、３２１ｅ２、３２１ｅ３、３２１ｅ４、３２１ｅ５の順に開口面積が小さくなり、最外周の第１吸込孔３２１ｅ５の開口直径は例えば２ｍｍ程度となっている。これにより、周縁部３２１ｆ１にグラデーションが形成されている。よって、すべての第１吸込孔３２１ｅを同じ開口面積の小孔で形成する場合と比べて、配列部３２１ｆの輪郭を形成する周縁部３２１ｆが目立たなくなり、外観が向上している。
【００３２】
また、最も外側の第１吸込孔３２１ｅ５の周方向の並び又はその周辺には、樹脂成型時にフィルタシート３２３を固定するための固定ピンの抜孔３２１ｇが形成されている。この抜孔３２１ｇの開口直径は例えば１ｍｍ程度であり、第１吸込孔３２１ｅ５の開口直径と同程度となっていて、目立たなくなくなるため、この面でも外観が向上している。
【００３３】
フィルタ板３２０は樹脂で成形されているが、そのうちのフィルタ部３２１については、図１１のＣ１−Ｃ２ラインにおける断面図である図１２に示すように、上金型４１０と下金型４２０の間に、下金型４２０の固定ピン４２１で位置決めした網目状のフィルタシート３２３を介在させてから、上金型４１０と下金型４２０の間に樹脂を注入して形成する。固定ピン４２１は図１２では１個であるが、金型中ではフィルタシート３２３を張るために複数設けられている。このため、固定ピン３２１の跡が抜孔３２１ｇとなってフィルタ部３２１に露出している。
【００３４】
さらに、サイドファン本体３１０の筐体３１３の吸込口３１３ｃ１を覆う保護板３１４は筐体３１３にネジＢ１で取り付けられているが、そのネジＢ１はフィルタ板３２０のフィルタ部３２１の第１吸込孔３２１ｅの配列部３２１ｆの周縁部３２１ｆ１によって覆われる。このため、ネジＢ１が目立ち難くなり、この面でも外観が向上している。
【００３５】
右サイドファンユニット３００Ｒの組み立ては、サイドファン本体３１０の筐体３１３に、シロッコファン３１１、モータ３１２、保護板３１４、ホルダ３１５、その他必要な部品を組み込んだ後に、図６に示すように、フィルタ板３２０の後縁３２１ｃを先頭にして、そのフィルタ部３１０をサイドファン本体３１０のホルダ３１５のガイドスロット３１５ｅに、フィルタ板３２０の前面カバー３２２がサイドファン本体３１０の前面部３１３ａを完全に覆うまで押し込む。
【００３６】
このとき、フィルタ板３２０のフィルタ部３２１の後縁３２１ｃの下縁３２１ｄの側を、サイドファン本体３１０のガイドスロープ３１５ｅの下部３１５ｅ２に挿入する際に、フィルタ板３２０の前面カバー３２２を下方向に傾けて、後縁３２１ｃの下端部３２１ｃ２を、下縦ガイドスロープ３１３ｃ３に載せることができる。
【００３７】
このように、フィルタ板３２０のフィルタ部３２１の後縁３２１ｃの下縁３２１ｄを下縦ガイドスロープ３１３ｃ３に載せる。そして、フィルタ板３２０のフィルタ部３２１の後縁３２１ｃの上端部３２１ｃ１を、サイドファン本体３１０のガイドスロープ３１５ｅの上部３１５ｅ１に挿入する。このとき、フィルタ板３２０の全体を、上横ガイドスロープ３１３ｃ２に沿って、サイドファン本体３１０の前面部３１３ａの側に傾けることができる。
【００３８】
したがって、フィルタ板３２０のフィルタ部３２１をサイドファン３１０のホルダ３１５のガイドスロット３１５ｅに挿入する際に、そのガイドスロット３１５ｅに対するフィルタ板３２０のフィルタ部３２１の位置合わせが容易となり、フィルタ板３２０のフィルタ部３２１をホルダ３１５に差し込む操作が容易となる。
【００３９】
以上のフィルタ板３２０のサイドファン本体３１０に対する挿入作業によって、フィルタ板３２０のフィルタ部３２１がサイドファン本体３１０の保護板３１４の正面に位置した状態に組み込まれる。そして、前記したようにこの右サイドファンユニット３００Ｒは室内機本体２００の右側面２２０の段部２２１に取り付けられる。
【００４０】
このとき、サイドファン本体３１０の前面部３１３ａはフィルタ板３２０の前面カバーによって覆われる。そして、フィルタ板３２０の前面カバー３２２の上部３２２ａの後端３２２ａ１が、サイドファン本体３１０の筐体３１３の上面部３１５ｂの前端３１５ｂ１に突き当る。また、フィルタ板３２０の前面カバー３２２の下部３２２ｂの後端３２２ｂ１が、サイドファン本体３１０の筐体３１３の下面部３１５ｄの前端３１５ｄ１に突き当る。
【００４１】
よって、後端３２２ａ１と前端３１５ｂ１が突き当る合わせ目のラインＤ１は、図１、図２に示すように、右サイドファンユニット３００Ｒの上面や側面には露出するが前面には露出しない。また、後端３２２ｂ１と前端３１５ｄ１が突き当る合わせ目のラインラインＤ２も、図３〜図５に示すように、右サイドファンユニット３００Ｒの下面や側面には露出するが前面には露出しない。したがって、右サイドファンユニット３００Ｒにおける室内機１００の前面２３０と同じ側には、フィルタ板３２０の前面カバー３２２のみが現れ、ラインＤ１、Ｄ２が現れないので、外観が向上する。
【００４２】
ただ、ラインＤ２はサイドファンユニット３００Ｒの下面にあるので、室内機１００を下から見上げた際に見えるが、このラインＤ２は室内機本体２００の前面２３０と下面２５０の間の境界の稜線としてのラインＤ３と並んでいるので、違和感は生じない。
【００４３】
また、サイドファンユニット３００Ｒが前記した第１回転位置と第２回転位置との間で回転するときは、サイドファンユニット３００Ｒのホルダ３１５の湾曲した背面部３１５ｃが、室内機本体２００の右側面２２０の右切欠形状部２２１の湾曲した壁面２２１ｂに沿って回転する。よって、サイドファンユニット３００Ｒの円弧のイメージを保つことができ、外観が向上する。
【００４４】
右サイドファンユニット３００Ｒのサイドファン本体３１０からフィルタ板３２０を取り外す際は、フィルタ板３２０の前面カバー３２２の右側面３２２ｄに形成された凹形状の手掛部３２２ｅに指を引掛けてから前方（図６の左方向）に引けば、フィルタ板３２０を引き出すことができる。これにより、フィルタ板３２０のみの清掃や交換ができる。
【００４５】
右サイドファンユニット３００Ｒのシロッコファン３１２の回転の中心となるシロッコファン回転軸Ｐ１と、右サイドファンユニット３００Ｒの室内機本体２００の右側面２２０の右切欠形状部２２１に対する回転の中心となるサイドファン回転軸Ｐ２とは、一致していない。すなわち、図１３に示すように、右サイドファンユニット３００Ｒのフィルタ板３２０の前面カバー３２２から、つまり右サイドファンユニット３００Ｒの前面からシロッコファン回転軸Ｐ１までの距離Ｘ１と、同じ前面からサイドファン回転軸Ｐ２までの距離Ｘ２は、Ｘ１＜Ｘ２に設定され、シロッコファン回転軸Ｐ１がサイドファン回転軸Ｐ２よりも前面カバー２２２に近づいている。
【００４６】
また、サイドファン本体３１０の筐体３１３のホルダ３１５の上面部３１５ｂから、つまり右サイドファンユニット３００Ｒの上面からシロッコファン回転軸Ｐ１までの距離Ｙ１と、同じ上面からサイドファン回転軸Ｐ２までの距離Ｙ２は、Ｙ１＜Ｙ２に設定され、サイドファン回転軸Ｐ２がシロッコファン回転軸Ｐ１よりも上面部３１５ｂから離れている。
【００４７】
図１３に示すように、右サイドファンユニット３００Ｒが前記した第１回転位置にあるときから、図１４に示すように、サイドファン回転軸Ｐ２を中心にして前記した第２回転位置に回転したときは、フィルタ板３２０の前面カバー３２２の上部３２２ａの上角部３２２ａ２が上方向に突出する。しかし、サイドファン回転軸Ｐ２がシロッコファン回転軸Ｐ１と同じ位置にある場合に比べて、上角部３２２ａ２の上方向への室内機本体２００の上面２４０からの突出距離Ｌ２が小さくなる。このため、上角部３２２ａ２の突出量が少なくなることで、室内機１００の外観が向上する。また、角部３２２ａ２の突出量が少なくなることで、室内機１００を室内の壁面５００に取り付ける際に、室内機２００を天井６００に近づけることができる。すなわち、室内機本体２００の上面２４０の間の距離Ｌ３を小さくすることができるので、壁面５００への室内機１００の取付高さの自由度が大きくなる。
【００４８】
さらに、シロッコファン回転軸Ｐ１がサイドファン回転軸Ｐ２よりも筐体３１３の前面部３１３ａの方向にシフトしているので、図７に示すように、筐体３１３の背面部３１３ｇとシロッコファン回転軸Ｐ１の間の距離Ｌ４が、シロッコファン回転軸Ｐ１がサイドファン回転軸Ｐ２に一致している場合と比較して、大きくなる。このため、筐体３１３の背面部３１３ｇの内側に配置される導風路３１３ｅを図７において左右方向に拡大できるので、その導風路３１３ｅの断面積を大きくすることができ、シロッコファン３１２の送風抵抗を小さくできる。
【符号の説明】
【００４９】
１００：室内機
２００：室内機本体、２１０：左側面、２１１：左切欠形状部、２１１ａ：側面、２１１ｂ：壁面、２２０：右側面、２２１：右切欠形状部、２２１ａ：側面、２２１ｂ：壁面、２３０：前面、２３１：前面パネル、３２１ａ：右端、３２１ｂ：手掛部、２４０：上面、２４１：室内機本体吸込口、２５０：下面、２５１：室内機本体吹出口、２５２：上下風向板、２６０：背面
３００Ｌ：左サイドファンユニット、３００Ｒ：右サイドファンユニット
３１０：サイドファン本体
３１１：モータ
３１２：シロッコファン
３１３：筐体、３１３ａ：前面部、３１３ａ１：上部、３１３ａ２：下部、３１３ａ３：中央部、３１３ｂ：本体側側面部、３１３ｂ１：第１装飾部、３１３ｂ２：第２装飾部、３１３ｂ３：外面、３１３ｃ：側面部、３１３ｃ１：吸込口、３１３ｃ２：上横ガイドスロープ、３１３ｃ３：下縦ガイドスロープ、３１３ｄ：下面部、３１３ｆ：上面部、３１３ｇ：背面部
３１４：保護板、３１４ａ：第２吸込孔
３１５：ホルダ、３１５ａ：側面部、３１５ａ１：上先端部、３１５ａ２：下先端部、３１５ｂ：上面部、３１５ｃ：背面部、３１５ｄ：下面部、３１５ｅ：ガイドスロット、３１５ｅ１：上導入部、３１５ｅ２：下導入部
３１６：吹出口
３１７：左右風向板
３２０：フィルタ板
３２１：フィルタ部、３２１ａ：前縁、３２１ｂ：上縁、３２１ｃ：後縁、３２１ｄ：下縁、３２１ｅ：第１吸込孔、３２１ｆ：配列部、３２１ｆ１：周縁部、３２１ｇ：抜孔
３２２：前面カバー、３２２ａ：上部、３２２ａ１：上角部、３２２ｂ：下部、３２２ｃ：中央部、３２２ｄ：右側面、３２２ｅ：手掛部
３２３：フィルタシート
４１０：上金型、４２０：下金型、４２１：固定ピン
５００：壁面、６００：天井
Ｐ１：シロッコファン回転軸、Ｐ２：サイドファン回転軸
【図１】
2020060350.tif 000003
【図２】
2020060350.tif 000004
【図３】
2020060350.tif 000005
【図４】
2020060350.tif 000006
【図５】
2020060350.tif 000007
【図６】
2020060350.tif 000008
【図７】
2020060350.tif 000009
【図８】
2020060350.tif 000010
【図９】
2020060350.tif 000011
【図１０】
2020060350.tif 000012
【図１１】
2020060350.tif 000013
【図１２】
2020060350.tif 000014
【図１３】
2020060350.tif 000015
【図１４】
2020060350.tif 000016